(57)【要約】【課題】コインを投入用のものと貯留用のものとに容易に区分けすることができ、使い勝手を良くすることができる遊技機を提供する。【解決手段】コインＣ１を上部受皿１１および下部受皿１５のいずれの受皿にも貯留可能にし、また、上部受皿１１内に貯留したコインＣ１は、コイン搬送装置によって投入口７に揚送され、あるいは、上部受皿１１から落下して、下部受皿１５に受け入れられるようにした。【選択図】図１
2004243008.tif 000002
【特許請求の範囲】
【請求項１】
コインを用いて遊技する遊技機において、
コインを溜めるための貯留部と、該貯留部側から該貯留部の上方に位置する投入口にコインを揚送するためのコイン搬送装置とを備え、
前記貯留部は、上部受皿と下部受皿とを備え、
前記上部受皿は、遊技機の内部から排出されたコインを貯留するとともに、コインを上部受皿の底部に沿って前記コイン搬送装置の方へ移動することができるように配され、
前記下部受皿は、前記上部受皿から落下したコインを受け入れるように配されている
ことを特徴とする遊技機。
【請求項２】
前記上部受皿の一端側には、前記コイン搬送装置が配され、
前記上部受皿の他端側には、前記下部受皿にコインを落下させるための落下口が開設されている
ことを特徴とする請求項１に記載の遊技機。
【請求項３】
前記上部受皿は、シャッター部材を備え、
前記シャッター部材は、前記上部受皿の落下口を開閉するように配されている
ことを特徴とする請求項２に記載の遊技機。
【請求項４】
前記上部受皿はガイド部材を備え、
前記ガイド部材は、前記上部受皿から落下するコインを前記下部受皿に導くように配されている
ことを特徴とする請求項１、２または３に記載の遊技機。
【請求項５】
前記コイン搬送装置は、前記上部受皿側から取り入れたコインを１枚ずつ倒伏姿勢にして送り出す送出機構と、該送出機構から送られたコインを倒伏姿勢から起立姿勢にする起立機構と、該起立機構から送られたコインを起立姿勢に維持しながらコインを揚送する揚送機構とを備え、
前記送出機構は、前記上部受皿側から取り入れたコインを収容するための収容部材を備え、
前記収容部材は、該収容部材の内部を上方から天井部で覆うように形成され、
前記天井部は、前記収容部材の内部を視認できるように透光性を有している
ことを特徴とする請求項１〜４の何れかに記載の遊技機。
【請求項６】
前記コイン揚送装置は、前記上部受皿側からコインを１枚ずつ分離して揚送し前記投入口に直接投入するものである
ことを特徴とする請求項１〜５の何れかに記載の遊技機。
【発明の詳細な説明】
【０００１】
【発明の属する技術分野】
本発明は、コインを用いて遊技する遊技機に関する。なお、本明細書において「コイン」には、ゲーム用のメダル、トークン、硬貨およびこれらに類するものが含まれている。
【０００２】
【従来の技術】
従来のこの種の遊技機には、スロットマシンのメダル投入口の近傍にメダル受け部が配され、メダル受け部内のメダルをドラム部の回転による遠心力でドラム部の外側にあるベルトコンベアの一端まで移動し、移動したメダルを駆動するベルトコンベアの他端から射出し、射出されたメダルをメダル投入口に案内するようにしている。また、遊技において、賞出したメダルを下皿に貯めるようになっている（例えば、特許文献１参照。）。
【０００３】
【特許文献１】
特開２００２−２１０２１４号公報
【０００４】
【発明が解決しようとする課題】
しかしながら、特許文献１の技術では、メダル受け部から投入口にメダルを投入していくに応じて、メダル受け部内のメダルは減少する一方であって、メダル受け部にメダルを補充するには、遊技者が手作業で下皿内のメダルを投入口とほぼ同じ高さにあるメダル受け部にわざわざ揚送する必要があり、使い勝手がよくないという問題点があった。
【０００５】
本発明は、上部受皿側のコインを上部受皿の上方に位置する投入口に揚送する一方、上部受皿側から落下させたコインを下部受皿に受け入れるようにし、コインを投入用のものと貯留用のものとに容易に区分けすることができ、使い勝手をよくすることができる遊技機を提供することを目的としている。
【０００６】
【課題を解決するための手段】
かかる目的を達成するための本発明の要旨とするところは、次の各項の発明に存する。
［１］コインを用いて遊技する遊技機において、
コインを溜めるための貯留部（１０）と、該貯留部（１０）側から該貯留部（１０）の上方に位置する投入口（７）にコインを揚送するためのコイン搬送装置とを備え、
前記貯留部（１０）は、上部受皿（１１）と下部受皿（１５）とを備え、
前記上部受皿（１１）は、遊技機の内部から排出されたコインを貯留するとともに、コインを上部受皿（１１）の底部（１２）に沿って前記コイン搬送装置の方へ移動することができるように配され、
前記下部受皿（１５）は、前記上部受皿（１１）から落下したコインを受け入れるように配されている
ことを特徴とする遊技機。
【０００７】
［２］前記上部受皿（１１）の一端側には、前記コイン搬送装置が配され、
前記上部受皿（１１）の他端側には、前記下部受皿（１５）にコインを落下させるための落下口（１２ａ）が開設されている
ことを特徴とする［１］に記載の遊技機。
【０００８】
［３］前記上部受皿（１１）は、シャッター部材（１４）を備え、
前記シャッター部材（１４）は、前記上部受皿（１１）の落下口（１２ａ）を開閉するように配されている
ことを特徴とする［２］に記載の遊技機。
【０００９】
［４］前記上部受皿（１１）はガイド部材（１１４）を備え、
前記ガイド部材（１１４）は、前記上部受皿（１１）から落下するコインを前記下部受皿（１５）に導くように配されている
ことを特徴とする［１］、［２］または［３］に記載の遊技機。
【００１０】
［５］前記コイン搬送装置は、前記上部受皿（１１）側から取り入れたコインを１枚ずつ倒伏姿勢にして送り出す送出機構（３０）と、該送出機構（３０）から送られたコインを倒伏姿勢から起立姿勢にする起立機構（４０）と、該起立機構（４０）から送られたコインを起立姿勢に維持しながらコインを揚送する揚送機構（５０）とを備え、
前記送出機構（３０）は、前記上部受皿（１１）側から取り入れたコインを収容するための収容部材（３１）を備え、
前記収容部材（３１）は、該収容部材（３１）の内部を上方から天井部（３１ｂ）で覆うように形成され、
前記天井部（３１ｂ）は、前記収容部材（３１）の内部を視認できるように透光性を有している
ことを特徴とする［１］〜［４］の何れかに記載の遊技機。
【００１１】
［６］前記コイン揚送装置は、前記上部受皿（１１）側からコインを１枚ずつ分離して揚送し前記投入口（７）に直接投入するものである
ことを特徴とする［１］〜［５］の何れかに記載の遊技機。
【００１２】
本発明に係る遊技機は、コインを上部受皿（１１）および下部受皿（１５）のいずれの受皿にも貯留することができる。上部受皿（１１）内に貯留したコインは、コイン搬送装置によって投入口（７）に揚送され、あるいは、上部受皿（１１）から落下して、下部受皿（１５）に受け入れられる。
【００１３】
遊技においてコインを賞出する場合には、コインは遊技機の内部から上部受皿（１１）に排出される。それにより、コインは、上部受皿（１１）からコイン揚送装置を経て投入口（７）に揚送され、投入口（７）へ投入され、遊技機の内部を通って再び上部受皿（１１）に排出されるようになって、遊技者がコインを上部受皿（１１）にわざわざ補充する必要がない。また、上部受皿（１１）内のコインが一杯になった場合には、上部受皿（１１）内のコインを下部受皿（１５）に落とすようにすればよい。
【００１４】
また、本発明に係る遊技機は、上部受皿（１１）の一端側にコイン搬送装置が配され、上部受皿（１１）の他端側に下部受皿（１５）にコインを落下させるための落下口（１２ａ）が開設されている。それによって、遊技者は、例えば、上部受皿（１１）内のコインの量に応じて、コインを上部受皿（１１）の一端側に移動することで投入用のコインとして用いることができ、コインを上部受皿（１１）の他端側に移動することで、貯留用のコインとして用いることができ、上部受皿（１１）内のコインを適宜振り分けることができる。
【００１５】
さらに、本発明に係る遊技機は、上部受皿（１１）がシャッター部材（１４）を備え、シャッター部材（１４）が上部受皿（１１）の落下口（１２ａ）を開閉するように配されている。例えば、遊技機の内部からコインが排出される所に落下口（１２ａ）を設け、その落下口（１２ａ）をシャッター部材（１４）によって開いておけば、遊技機の内部からコインを下部受皿（１５）に直接排出することができ、上部受皿（１１）がコインで一杯の時に、上部受皿（１１）にコインを貯めないで済み、上部受皿（１１）からコインが溢れるのを防止することができる。
【００１６】
さらに、本発明に係る遊技機は、上部受皿（１１）がガイド部材（１１４）を備え、ガイド部材（１１４）が上部受皿（１１）から落下するコインを下部受皿（１５）に導くように配されている。コインが上部受皿（１１）からガイド部材（１１４）に沿って下部受皿（１５）に落下するようになるので、コインを上部受皿（１１）側から下部受皿（１５）側へ確実に移動させることができ、また、コインが下部受皿（１５）に落下したときの衝撃を緩和させることで、その衝撃音を小さくすることができる。
【００１７】
さらに、本発明に係る遊技機は、送出機構（３０）が上部受皿（１１）側から取り入れたコインを収容するための収容部材（３１）を備え、収容部材（３１）がその収容部材（３１）の内部を上方から天井部（３１ｂ）で覆うように形成され、天井部（３１ｂ）がその収容部材（３１）の内部を視認できるように透光性を有している。遊技者は、透光性のある天井部（３１ｂ）を通して収容部材（３１）内のコインの量を容易に確認することができる。また、収容部材（３１）が天井部（３１ｂ）で塞がれているので、送出機構（３０）が、その収容部材（３１）内のコインを起立機構（４０）に送り出す際に、コインが跳ね上がっても、コインが天井部（３１ｂ）で遮られ、収容部材（３１）外に飛び出すことがない。
【００１８】
さらに、本発明に係る遊技機は、コイン揚送装置が上部受皿（１１）側からコインを１枚ずつ分離して揚送し投入口（７）に直接投入するものである。コインが、自動的に投入口（７）に直接投下されるから、遊技者がコインを上部受皿（１１）から投入口（７）に持っていって、投入口（７）に投入する作業をわざわざ行う必要がなく、遊技にのみ集中することができ、遊技を十分に楽しむことができる。
【００１９】
【発明の実施の形態】
以下、本発明の実施の形態を図面に基づいて説明する。各図は本発明の一実施の形態を示している。本発明の一実施の形態に係るコイン搬送装置は、スロットマシンである遊技機１に備えられている。
【００２０】
図１〜図５に示すように、遊技機１の本体１ａの正面には、図柄を可変表示した後に停止表示する可変表示部２が設けられている。可変表示部２の下方には、スタートレバー３ａ、ストップボタン３ｂなどの操作部材が設けられている。それら操作部材の下方には、コインＣ１を溜めるための前皿である貯留部１０が設けられ、貯留部１０の上方には投入口７が配設されている。
【００２１】
貯留部１０は、上部受皿１１と下部受皿１５とを備えている。上部受皿１１および下部受皿１５は、遊技機１の本体１ａから正面側へそれぞれ張り出している。上部受皿１１は、遊技機１の内部から排出されたコインを貯留するものである。コイン搬送装置は、上部受皿１１側からコインＣ１を１枚ずつ分離して揚送し投入口７に直接投入することができるものである。上部受皿１１の一端側にはコイン搬送装置が配されている。上部受皿１１の底部１２の他端側には、下部受皿１５にコインＣ１を落下させるための落下口１２ａが開設されている。
【００２２】
図２１は、シャッター部材を示す断面図である。図２１に示すように、シャッター部材１４は、枢軸１３により、上部受皿１１の落下口１２ａを閉じた状態（図２１（ａ）に示す状態）と、上部受皿１１の落下口１２ａを開いた状態（図２１（ｂ）に示す状態）とに揺動可能に支持されている。図示しないが、シャッター部材１４は、閉じ状態に揺動する方向に付勢されている。また、シャッター部材１４には操作レバー１４ａが一体的に形成されている。
【００２３】
遊技機１の内部からコインを排出するための排出口１ｂを臨むようにして落下口１２ａが開設されている。落下口１２ａは、図１および図２に示すように、排出口１ｂの一部にかかるようにして開設されていても、排出口１ｂ全体にかかるようにして開設されていてもよい。シャッター部材１４によって落下口１２ａを閉じた状態にすることで、コインを遊技機１の内部から上部受皿１１に排出可能に、かつ、シャッター部材１４によって落下口１２ａを開いた状態にすることで、コインを遊技機１の内部から直接的に下部受皿１５に排出可能に成っている。
【００２４】
コイン搬送装置は、貯留部１０の上部受皿１１側にあるコインＣ１を１枚ずつ倒伏姿勢にして送り出す送出機構３０と、送出機構３０から送られたコインＣ１を倒伏姿勢から起立姿勢にする起立機構４０と、起立機構４０から送られたコインＣ１を起立姿勢に維持しながらコインＣ１を揚送して投入口７に直接投入する揚送機構５０とを備えている。
【００２５】
図２、図５〜図９に示すように、送出機構３０は上部受皿１１に隣接して配されている。送出機構３０は、上部受皿１１側とは反対側にコインＣ１を送り出すものである。送出機構３０の近傍には起立機構４０および揚送機構５０が配されている。
【００２６】
送出機構３０は、上部受皿１１内のコインＣ１を受け入れるための収容部材３１と、収容部材３１内に配され回転可能な送り部材３５とを備えている。送出機構３０は上部カバー３１ａを備えている。上部カバー３１ａの一部は、収容部材３１の内部を上方から覆うように形成された収容部材３１の天井部３１ｂであり、天井部３１ｂは、収容部材３１の内部を上方から視認できるように透光性を有している。
【００２７】
収容部材３１はベース２１に載置されている。収容部材３１は、矩形状断面形のコイン収容部３３と、送り部材３５を嵌め込むための円形状断面形の嵌合部３４とから形成されている。コイン収容部３３の底部３３ａには、円形断面形状の孔３３ｂが開設されている。円形断面形状の孔３３ｂを下方から塞ぐように、円形状の送り部材３５が配されている。コイン収容部３３の円形断面形状の孔３３ｂは、その外周縁から送り部材３５に向かって傾斜している。
【００２８】
収容部材３１はベース２１に着脱可能に支持されている。ベース２１には３本のロックピン２５が植設されている。ベース２１には、研磨材などを排出するための異物排出孔２８が穿設されている。
【００２９】
収容部材３１の嵌合部３４の下端フランジ３４ａの周縁には、ロックピン２５を堅く嵌合させて収容部材３１を離脱不能にするロック溝３４ｂおよび、ロック溝３４ｂに連続して、ロックピン２５を遊嵌させて収容部材３１を離脱可能にするアンロック溝３４ｃが、各ロックピン２５に対応して凹設されている。収容部材３１をベース２１に着脱するには、収容部材３１をベース２１に対して約１０度回転させて、ロックピン２５をロック溝３４ｂとアンロック溝３４ｃとにそれぞれ相対移動させればよい。
【００３０】
収容部材３１のコイン収容部３３は、上部受皿１１内のコインＣ１を収容部材３１内に掻き寄せるためのコイン搬入口３２を有している。コイン搬入口３２は、コイン収容部３３の上部受皿１１側の壁面３３ｃに開設されている。コイン搬入口３２の下縁３２ａは、上部受皿１１の湾曲形状断面形の底部１２に合わせて形成され、底部１２に滑らかに連続している。
【００３１】
図５、図１３および図１４に示すように、送り部材３５は送出用孔３６と送出用爪３７を有している。送出用孔３６は、収容部材３１内のコインＣ１を１枚ずつ嵌入させるものである。送出用爪３７は、嵌入したコインＣ１を起立機構４０へ送り出すように形成されている。送出用爪３７は、嵌入したコインＣ１を起立機構４０へ送り出すように形成されている。送出用爪３７は回転軸６８ａに対して嵌脱可能に支持されている。
【００３２】
送出用孔３６は送り部材３５の円周方向に所定ピッチでほぼコインＣ１の大きさに穿設されたものであり、送り部材３５の上面から下面に貫かれている。送出用爪３７は、送り部材３５の下面側に形成され、送り部材３５の回転中心側に位置する周縁３６ａから徐々に離れながら送り部材３５の周縁３５ａまで延ばされた湾曲形状の爪である。送出用爪３７の幅はほぼコイン１枚分の厚みになっている。送出用爪３７は、送り部材３５の回転時に、送出用爪３７の基端側から先端側へコインＣ１を相対移動させるように形成されている。送り部材３５の周縁３５ａには、図５に示すように、円周方向に沿ってフランジアップ部３５ｂが形成されている。フランジアップ部３５ｂは、収容部材３１に入ったコインＣ１を逃がさないようになっている。
【００３３】
また、送り部材３５の下面側には、送出用爪３７と一体的に環状部３７ａが形成されている。環状部３７ａは、下面側から送出用孔３６の中心部を横切るように配されている。環状部３７ａの外周縁には、３つの送出用孔３６に対応して凸部３７ｂが形成されている。環状部３７ａは、送出用孔３６に嵌入したコインＣ１を下面側から受け止めるものであり、環状部３７ａおよび凸部３７ｂは、送出用爪３７によって送り出されるコインＣ１を下面側から支持するものである。
【００３４】
さらに、ベース２１にはコインＣ１を強制的に追い出すための２つの凸部２２、２３が形成されている。凸部２２、２３は、送出用爪３７によって送り出されるコインＣ１の姿勢や方向が適正でなく、そのままでは起立機構４０側に送り出されない場合に、コインＣ１姿勢や方向を適正なものに矯正するものであり、送出用爪３７が機能している通常時には使われることがないものである。また、凸部２２、２３に干渉しないように、送り部材３５の下面側には逃げ溝３５ｂが形成されている。
【００３５】
図１９および図２０に示すように、送出機構３０は係止部材２９を備えている。係止部材２９は、送り部材３５の回転時に、係止したコインＣ１を送出用孔３６へ相対移動させるものである。
【００３６】
係止部材２９は、コイル部材２９ａを介して収容部材３１のコイン収容部３３に支持されている。コイル部材２９ａは、コインＣ１に係止してコインＣ１を移動させるときに係止部材２９にかかる衝撃を吸収するものである。係止部材２９は、送り部材３５の回転時に、周回する送出用孔３６の中心部の移動軌跡上に配されている。
【００３７】
図１０〜図１２および図１５に示すように、送出機構３０はカウント部材３８を備えている。カウント部材３８は、枢軸３８ｄにより揺動可能に支持されている。カウント部材３８はばね部材３８ａの付勢力によって原位置（図１０においてＡ１位置）に戻るように配されている。さらに、カウント部材３８は、送出用爪３７によって送り出されるコインＣ１の付勢力に優る押力で原位置から図１０においてＡ２位置に変位する一方、送出用爪３７によってさらに送り出されるコインＣ１の押力に優る付勢力で原位置に戻るように配されている。
【００３８】
カウント部材３８は、コインＣ１の押力に優る付勢力で原位置に戻るとき、コインＣ１を起立機構４０へ送り出すように配されている。
【００３９】
カウント部材３８は、当接するコインＣ１の径の大きさに応じて原位置から変位する量が変わるように形成されている。カウント部材３８は、コ字状断面形状のブラケット３８ｂの上面部にベアリング３８ｃを支持するとともに、ブラケット３８ｂの下面部に被検出用突起３８ｇを設けて成る。ベアリング３８ｃはベース２１の上面側に配され、被検出用突起３８ｇは、ベース２１の下面側に配されている。
【００４０】
被検出用突起３８ｇの揺動量を検出するための２つの近接スイッチ３８ｅ、３８ｆが配設されている。２つの近接スイッチ３８ｅ、３８ｆは、共に被検出用突起３８ｇを検出すると、カウント部材３８を押しているのはゲーム用のメダル（径約２５ｍｍ）であることを検出し、近接スイッチ３８ｅのみが被検出用突起３８ｇを検出すると、カウント部材３８を押しているのは２０ｍｍ〜２３．５ｍｍの各種の硬貨（１円〜１００円）であることを検出するように構成されている。
【００４１】
さらに、送出機構３０は調整部材３９を備えている。調整部材３９は、調整部材３９とカウント部材３８との間に形成されたコイン通過用の隙間を調整できるように配設されている。また、カウント部材３８と調整部材３９は、コインＣ１を起立機構４０に案内するための案内路を形成している。
【００４２】
図５〜図７、図１０および図１１に示すように、起立機構４０は、送出機構３０を間にして上部受皿１１とはほぼ反対の位置であって、遊技機１の本体１ａに寄った位置に配されている。起立機構４０は、コインＣ１を垂直ガイド部材５２へ案内する起立ガイド部材４２と、コインＣ１を垂直ガイド部材へ掻き上げるための羽根部材４４と、コインＣ１を倒伏姿勢と起立姿勢との間の姿勢である中間姿勢に保持する中間姿勢保持部４９とを備えている。
【００４３】
起立ガイド部材４２は、コインＣ１の面をスクリュー部材５４の回転軸５４ａに向けて起立姿勢になるようにコインＣ１を案内するものである。起立ガイド部材４２は、コインＣ１の周縁部をコインＣ１の面方向に対し平行な方向で両方向から挟みながら起立姿勢になるように案内するものである。起立ガイド部材４２は、羽根部材４４を通過させるための通過用の溝が形成されている。
【００４４】
羽根部材４４は、コインＣ１を垂直ガイド部材５２へ掻き上げたとき、その羽先部４５をスクリュー部材５４の回転軸５４ａに対し外すように配されている。その回転軸５４ａに対し外れる量（図１０に示すＬ１）は、約４〜５ｍｍである。
【００４５】
また、羽根部材４４は、コインＣ１を垂直ガイド部材５２へ掻き上げたときに、羽根部材４４の羽先部４５によって下方から支えるコインＣ１の周縁Ｃ４を、コインＣ１を下方から押し上げるためにスクリュー部材５４の突条５５によって下方から支えられるコインＣ１の周縁（下縁Ｃ３）の位置から外すように配されている。コインＣ１の下縁Ｃ３とコインＣ１の周縁Ｃ４との上下方向の差（図６に示すＬ２）は約１．２〜１．６ｍｍである。図６ではその差を強調して示している。
【００４６】
中間姿勢保持部４９は、送出機構３０から送られたコインＣ１の周縁を部分的に落とし込むことで、コインＣ１を中間姿勢に保持するように形成されている。羽根部材４４は、中間姿勢に保持されたコインＣ１を掻き上げるように配されている。
【００４７】
中間姿勢保持部４９に落とし込むべきコインＣ１の周縁は、送出機構３０から送られるコインＣ１の送り方向に対して両側方向に位置するコインＣ１の一方の側縁Ｃ２である。中間姿勢保持部４９は、ベース２１の上面部に形成され、コインＣ１の側縁Ｃ２を落とし込むための嵌入溝４９ａと、嵌入溝４９ａからスクリュー部材５４に向かって徐々に上がり勾配になった円弧状溝４９ｂとから成る。嵌入溝４９ａは２段になっている。図６に示すように、送出機構４０は、コインＣ１を嵌入溝４９ａの下段側に送り込むように構成されている。また、中間姿勢保持部４９には、羽根部材４４の羽先部４５との干渉を回避するための逃げ溝４９ｃが形成されている。
【００４８】
図３〜図８に示すように、揚送機構５０は、起立機構から遊技機１の本体１ａの方へさらに寄った位置に配されている。揚送機構５０は、垂直ガイド部材５２と、スクリュー部材５４と、投入用ガイド部材５８を備えている。遊技機１の本体１ａのコーナー部は垂直ガイド部材５２およびスクリュー部材５４を設けるために面取りが施されている。
【００４９】
垂直ガイド部材５２は、コインＣ１の面をスクリュー部材５４の回転軸５４ａに向けた起立姿勢にコインＣ１を保持しながらコインＣ１を垂直方向に案内するように配されている。垂直ガイド部材５２は、正面開口を有するコ字状断面形状のレール部材５２ａと、レール部材５２ａの両側壁部に沿設される一対のガイド溝部材５２ｂとから成る。一対のガイド溝部材５２ｂは、コインＣ１の周縁部をコインＣ１の面方向に対し平行な方向で両方向から挟むようにすることでコインＣ１を起立姿勢に保持しながらコインＣ１を上下方向へ案内するものである。垂直ガイド部材５２の正面開口は、上方へ案内されるコインＣ１を確認するための開口になっている。
【００５０】
スクリュー部材５４は、回転することでその螺旋状の突条５５をコインＣ１の下縁Ｃ３に当てて、コインＣ１を１枚ずつ押し上げるように配されている。スクリュー部材５４の下端部にはベベルギア６２が固設されている。スクリュー部材５４の上端部は、垂直ガイド部材５２の上端部に回転可能に支持されている。
【００５１】
図３、図４および図８に示すように、投入用ガイド部材５８は、垂直ガイド部材５２の上端部に揚送されたコインＣ１を同じく起立姿勢に保持しながらコインＣ１を投入口７へ案内するように形成されている。
【００５２】
投入口７は、前板部材７ａと後板部材７ｂとの間の隙間であり、前板部材７ａの上縁は円弧状に凹設され、コインＣ１を入れ易いように形成されている。一方、後板部材１８ｂの上縁は円弧状に凸設され、コインＣ１を投入口７に案内するための案内壁になっている。
【００５３】
投入用ガイド部材５８は垂直ガイド部材５２の上端口５２ｄと投入口７とを連絡するもので、２つのガイド部材５８ａ、５８ｂを組み合わせて成る。ガイド部材５８ｂは、下縁が後板部材７ｂの上縁に合わさるように円弧状に形成されている。
【００５４】
また、投入用ガイド部材５８は、投入口７から離間することで、投入口７を外部に開放し、外部からコインＣ１を投入口７に直接投入できるように配されている。投入用ガイド部材５８は、垂直ガイド部材５２の案内部５２ｃにより、垂直ガイド部材５２の上端部５２ｅと共に投入口７から上方へ離間した非連絡位置と、投入口７に近接した連絡位置とに上下移動可能に支持されている。
【００５５】
図１６〜図１８に示すように、ベース２１の下方にはコイン搬送装置の駆動機構６０が配設されている。駆動機構６０は、モータＭ１の動力が減速機構６９を介して駆動シャフト７１に伝達されるようになっている。駆動シャフト７１にはベベルギア６１と平歯車６３とが固設されている。ベベルギア６１はベベルギア６２に噛合しており、ベベルギア６２はスクリュー部材５４の回転軸５４ａに固設されている。
【００５６】
ベベルギア６２と一体的に平歯車６２ａが形成されている。平歯車６２ａの動きはアイドルギア６７を介して平歯車６８に伝達されるようになっている。平歯車６８の回転軸６８ａには、送り部材３５が固設されている。平歯車６２ａが１回転すると、平歯車６８が１／３回転するように構成されている。それにより、スクリュー部材５４が１回転すると、送り部材３５が１／３回転するようになっている。
【００５７】
また、羽根部材４４は平歯車６６の回転軸６６ａに固設されている。平歯車６２ａの動きは、ベベルギア６１、平歯車６３、平歯車６４、平歯車６５を介して、平歯車６６に伝達されるようになっている。平歯車６２ａが１回転すると、平歯車６６が１回転するように構成されている。それにより、スクリュー部材５４が１回転すると、羽根部材４４が１回転するように構成されている。
【００５８】
駆動機構６０のモータＭ１を始動すると、駆動シャフト７１が回転し、ベベルギア６１および平歯車６３が回転し、ベベルギア６１に噛合する平歯車６２ａが回転して、これと一体的にスクリュー部材５４の回転軸５４ａが回転する。
【００５９】
また、ベベルギア６１と一体的に平歯車６２ａが回転し、アイドルギア６７を介して平歯車６８が回転し、平歯車６８の回転軸６８ａと一体的に送出機構３０の送り部材３５が回転する。
【００６０】
さらに、平歯車６３が回転すると、平歯車６４、６５を介して平歯車６６が回転し、平歯車６６の回転軸６６ａと一体的に羽根部材４４が回転する。
【００６１】
このとき、スクリュー部材５４が１回転すると、収容部材３１内で送り部材３５が１／３回転し、羽根部材４４が１回転する。
【００６２】
次に、上部受皿１１側から送出機構３０へ送られるコインＣ１の動きについて説明する。スロットマシンである遊技機１においては、コインＣ１を投入口７に投入することで、可変表示部２で表示遊技の実行する権利を与え、可変表示部２の表示結果が予め定められた特定表示態様になると、上部受皿１１に所定数のコインＣ１を払い出すようになっている。遊技者は、上部受皿１１内のコインＣ１を送出機構３０の収容部材３１に必要により入れて遊技する。
【００６３】
送出機構３０と上部受皿１１との間に起立機構４０が介在していないので、上部受皿１１側からコインＣ１を送出機構３０へ移動する場合に、起立機構４０が邪魔にならずに、上部受皿１１内のコインＣ１は送出機構３０の収容部材３１に受け入れられる。
【００６４】
遊技者は、手を上部受皿１１内に入れ、入れた手の触感だけで、上部受皿１１内のコインＣ１を見ることなく、コインＣ１を上部受皿１１の底部１２に沿って、上部受皿１１の一端側に配されたコイン搬送装置の収容部材３１に掻き寄せることができる。上部受皿１１内のコインＣ１は、収容部材３１のコイン搬入口３２を通って収容部材３１内に掻き寄せられる。上部受皿１１内のコインＣ１を掻き寄せる間、遊技者は、目を上部受皿１１内のコインＣ１の方へ移す必要がなく、可変表示部２に目を向けたまま上部受皿１１内のコインＣ１を掻き寄せることができる。
【００６５】
遊技者は、各遊技において遊技結果が出た後に、空いた手で、上部受皿１１内のコインＣ１を掻き寄せることができる。また、遊技者は、遊技中においても、ストップボタン１３ａを押した後に、上部受皿１１内のコインＣ１を掻き寄せることができる。遊技者がコインＣ１を掻き寄せた後に、可変表示部２が図柄を停止表示し、遊技結果に応じてコインＣ１が上部受皿１１に払い出される。
【００６６】
このとき、上部受皿１１の他端側に配された落下口１２ａはシャッター部材１４によって閉じられた状態にある。上部受皿１１に払い出されたコインＣ１が貯留されていくが、例えば、上部受皿１１内のコインＣ１が一杯になったときには、コインＣ１を上部受皿１１の他端側に移動し、落下口１２ａから下部受皿１５に落下させればよい。
【００６７】
また、本実施の形態では、落下口１２ａは、遊技機１内のホッパー（図示省略）からコインＣ１を排出するための排出口１ｂを臨むように配されているから、シャッター部材１４によって落下口１２ａが開いた状態になると、コインＣ１を遊技機１内から直接的に下部受皿１５に排出することができる。シャッター部材１４によって落下口１２ａを開き状態にすることは、上部受皿１１内のコインＣ１が一杯であって、上部受皿１１にコインＣ１を貯留する余裕がないときに、遊技者が手で上部受皿１１内のコインＣ１を下部受皿１５へ落下させる作業をわざわざ行う必要がなく、使い勝手を良くすることができる。
【００６８】
遊技者は、次の遊技を行うべく、投入口７に直接投入すべきコインＣ１の数を決め、コイン搬送装置を駆動し、収容部材３１内の送り部材３５を回転する。送り部材３５を回転すると、収容部材３１内のコインＣ１が送り部材３５に弾かれて、収容部材３１外へ飛び出そうとするが、収容部材３１の天井部３１ｂに遮られ、コインＣ１が収容部材３１外へ飛び出すことがない。また、天井部３１ｂは透光性を有しているので、遊技者は、収容部材３１の外部から天井部３１ｂを通して収容部材３１内のコインＣ１の量を容易に確認することができ、収容部材３１内のコインＣ１の量が少なめになっていれば、上部受皿１１内のコインＣ１を収容部材３１へ補充すればよい。
【００６９】
収容部材３１内で送り部材３５を回転すると、コインＣ１は、送り部材３５の上面側から送出用孔３６に１枚ずつ取り入れられ、送り部材３５の下面側に移動し、下面側の送出用爪３７で送り出される。このように、上部受皿１１内から収容部材３１内に掻き寄せられたコインＣ１は送出用孔３６で次々拾われ、送出用爪３７で次々に送り出される。
【００７０】
また、収容部材３１内で送り部材３５を回転すると、コインＣ１は、係止部材２９に当たって、係止部材２９に係止しながら、送出用孔３６へ相対移動する。やがて、コインＣ１は送出用孔３６に強制的に嵌入する。このようにして、コインＣ１は、いつまでも送出用孔３６に嵌入しないで、収容部材３１内で回転を続けることがなく、送出用孔３６で次々拾われ、送出用爪３７で次々に送り出される。
【００７１】
コインＣ１は、送出用爪３７によって直接的に起立機構４０に送り出されるようにしてもよい。本実施の形態においては、コインＣ１は、送出用爪３７によってある程度まで送り出して、カウント部材３８によって起立機構４０に送り出すようになっている。また、カウント部材３８は付勢力で原位置に戻るようになっている。
【００７２】
送出用爪３７によって送り出されるコインＣ１は、カウント部材３８に当接し、カウント部材３８を押す。コインＣ１の押力が付勢力に対して優ると、コインＣ１は、カウント部材３８を原位置（図１０に示すＡ１位置）から変位させる。コインＣ１は送出用爪３７によってさらに送り出され、カウント部材３８をさらに押し、カウント部材３８は図１０に示すＡ２位置に変位する。やがて、コインＣ１の押力に対して付勢力が優るようになると、カウント部材３８を原位置に戻すようになる。カウント部材３８を原位置に戻すことによって、コインＣ１は、カウント部材３８に押し出されて、起立機構４０に送り出される。
【００７３】
送出用爪３７で送り出されたコインＣ１は、調整部材３９とカウント部材３８との間に形成されたコイン通過用の隙間を通過する。調整部材３９によってコイン通過用の隙間を調整することができる。すなわち、コイン通過用の隙間を狭めに調整することで、コインＣ１はカウント部材３８を大きく押し込み、カウント部材３８を大きく変位させる。コインＣ１の押力も大きくなる。反対に、コイン通過用の隙間を広めに調整することで、コインＣ１は、カウント部材３８をわずかに押し込み、カウント部材３８を小さく変位させる。コインＣ１の押力も小さくなる。コインＣ１は、このように隙間を通過していき、やがて、付勢力で原位置に戻るカウント部材３８によって、適正な力で、かつ、所定方向に押し返される。それにより、コインＣ１は、確実に起立機構４０の中間姿勢保持部４９に送り出される。
【００７４】
一方で、カウント部材３８の動きによりコインＣ１の通過を検出することができる。コインＣ１の通過は近接スイッチ３８ｅ、３８ｆで検出することができる。近接スイッチ３８ｅ、３８ｆは、カウント部材３８の被検出用突起３８ｇの動きを検知する。被検出用突起３８ｇの動きを近接スイッチ３８ｅ、３８ｆで検知しないとき、コインＣ１の通過がないので、搬送装置の駆動停止をすることができる。それにより、コインＣ１のない状態で駆動し続けるコインＣ１の空送りを防止することができる。
【００７５】
また、コインＣ１は、その径の大さに応じてカウント部材３８を原位置から大きく変位させる。近接スイッチ３８ｅ、３８ｆは、共にカウント部材３８の被検出用突起３８ｇの動きを検知すれば、大径のコインＣ１であることを検出し、近接スイッチ３８ｅのみがカウント部材３８の被検出用突起３８ｇの動きを検知すれば、小径のコインＣ１であることを検出する。
【００７６】
コインＣ１は、被検出用突起３８ｇの動き量、すなわち、カウント部材３８の原位置から変位する量に基づいて選別される。コインＣ１は、所定径以外の異径のものであれば、カウント部材３８で選別され、起立機構４０側へ送られないようになる。
【００７７】
次に、起立機構４０へ送られるコインＣ１の動きについて説明する。送出機構３０から送られたコインＣ１の周縁は、部分的に中間姿勢保持部４９に落とし込まれる。それにより、コインＣ１は、倒伏姿勢と起立姿勢との間の姿勢である中間姿勢になって保持される。
【００７８】
中間姿勢に保持されたコインＣ１は、羽根部材４４で掻き上げられ、起立ガイド部材４２によって垂直ガイド部材５２へ案内される。
【００７９】
コインＣ１は、送出機構３０によるコインＣ１の送り方向に対して両側方向に位置するコインＣ１の両側縁Ｃ２の一方を中間姿勢保持部４９に落とし込まれる。このようにすれば、コインＣ１は、送出機構３０からわずかに送り出された位置で中間姿勢保持部４９に落とし込まれた場合であっても、羽根部材４４によって掻き上げられる。このとき、羽根部材４４は送出機構３０に沿うように移動し、羽根部材４４と送出機構３０とは干渉しない。
【００８０】
コインＣ１は、起立機構４０の羽根部材４４によって垂直ガイド部材５２へ掻き上げられる。コインＣ１を掻き上げる羽根部材４４の羽先部４５をスクリュー部材５４の回転軸５４ａに対し外すようにしている。回転軸５４ａに対し外した外し量Ｌ１を図１０に示している。約４〜５ｍｍの外し量Ｌ１を設けることで、外し量Ｌ１を設けない場合に比べて、羽根部材４４の羽先部４５をスクリュー部材５４の回転軸５４ａ側へ約０．５〜１．２ｍｍ程度深く進入させても、羽先部４５が回転軸５４ａに当たらないようになる。
【００８１】
仮に、外し量Ｌ１を設けない場合には、コインＣ１は、羽根部材４４の羽先部４５にわずかに引っかかっている形で掻き上げられることになる。外し量Ｌ１を設けたことにより、コインＣ１は、羽根部材４４の羽先部４５に十分に乗るような形で、羽根部材４４に掻き上げられ、コインＣ１は、起立機構４０から揚送機構５０へ確実に送られる。
【００８２】
コインＣ１を羽根部材４４によって垂直ガイド部材５２へ掻き上げたときに、図６に示すように、羽根部材４４の羽先部４５によって下方から支えるコインＣ１の周縁Ｃ４と、コインＣ１を下方から押し上げるためにスクリュー部材５４の突条５５によって下方から支えるコインＣ１の下縁Ｃ３との位置を別々にしていることで、また、羽根部材４４の回転とスクリュー部材５４の回転とのタイミングをとることで、コインＣ１は、スクリュー部材５４の突条５５によって十分に支えられた後に、羽根部材４４から外れるようになり、コインＣ１は、羽根部材４４または突条５５の少なくとも一方で必ず支えられているので、起立機構４０から揚送機構５０へ確実に送られる。羽根部材４４の羽先部４５とスクリュー部材５４の突条５５とで共にコインＣ１を支えたときに、羽根部材４４の羽先部４５とスクリュー部材５４の突条５５とは、両者間に生じる隙間（図６に示すＬ２）によって干渉し合うことがない。
【００８３】
このように、コインＣ１は、起立機構４０から揚送機構５０に送られるが、起立機構４０と揚送機構５０とは共に送出機構３０の近傍にあって、相互に近接しているので、コインＣ１は起立機構４０から揚送機構５０へ短い移動量で送られるようになる。
【００８４】
次に、揚送機構５０の垂直ガイド部材５２に送られるコインＣ１の動きについて説明する。コインＣ１は、スクリュー部材５４の螺旋状の突条５５に乗せられていて、スクリュー部材５４が回転すると、その突条５５に沿って進むことで、１枚ずつ押し上げられる。
【００８５】
コインＣ１は、コインＣ１の面をスクリュー部材５４の回転軸５４ａに向けた起立姿勢に保持されながら垂直方向に案内される。このとき、コインＣ１の周縁は、垂直ガイド部材５２のガイド溝部材５２ｂによりコインＣ１の面方向に対し平行な方向で両方向から挟まれるようになっている。
【００８６】
コインＣ１が垂直方向に案内されるとき、コインＣ１の下縁Ｃ３は、スクリュー部材５４の突条５５に乗るような形になっているので、コインＣ１は、スクリュー部材５４の突条５５から外れることなく、スクリュー部材５４を回転することで１枚ずつ押し上げられ、確実に揚送される。また、垂直ガイド部材５２に正面開口が形成されているので、垂直ガイド部材５２に案内されて上昇していくコインＣ１を遊技者や利用者が見ることができ、安心感を与えることができる。
【００８７】
コインＣ１は、起立姿勢を保持されながら垂直ガイド部材５２の上端部５２ｅに揚送される。揚送されたコインＣ１は、スクリュー部材５４の突条５５が、垂直ガイド部材５２の上端口５２ｄに向かって下方に傾斜しているので、図８に示すように、スクリュー部材５４の突条５５に沿って垂直ガイド部材５２の上端口５２ｄ側へ移動し、その上端口５２ｄを出て、投入用ガイド部材５８のガイド部材５８ａおよびガイド部材５８ｂを通って、起立姿勢に保持されながら投入口７へ移動する。移動したコインＣ１は、投入口７の後板部材７ｂに案内されて、投入口７に確実に直接投入される。コインＣ１は、投入口７の上方から単に投下されるものではないので、投入口７の周縁で弾かれてしまうことがない。
【００８８】
コイン搬送装置の故障のとき、コインＣ１は、自動的に投入口７に直接投入されない。このような故障のときには、投入用ガイド部材５８を投入口７から離間させればよい。
【００８９】
投入用ガイド部材５８は、垂直ガイド部材５２の上端部５２ｅと共に投入口７から上方へ離間した非連絡位置と、投入口７に近接した連絡位置とに上下移動可能に支持されているので、投入用ガイド部材５８を非連絡位置に移動し、投入口７から離間することで、投入口７を外部に開放する。
【００９０】
外部に開放された投入口７にコインＣ１を直接投入することができる。コイン搬送装置が復旧したときには、離間していた投入用ガイド部材５８を元の連絡位置に戻せばよい。連絡位置に戻った投入用ガイド部材５８により、垂直ガイド部材５２の上端口５２ｄと投入口７とを連絡することができ、コインＣ１は、自動的に投入口７に直接投入されるようになる。このように、投入用ガイド部材５８の離間操作や復帰操作は共に簡単に行うことができる。
【００９１】
なお、前記実施の形態では、送出用爪３７およびカウント部材３８との２つの部材でコインＣ１を起立機構４０に送り出すようにしているが、送出用爪３７の先端を起立機構４０の近傍に達するように延設して、コインＣ１を起立機構４０に直接的に送り出すように形成してもよい。それにより、カウント部材３８および調整部材３９が不要になる。
【００９２】
さらに、前記実施の形態では、上部受皿１１内のコインＣ１が下部受皿１５に落下するものを示したが、図２２に示すように、上部受皿１１１にガイド部材１１４を設けるようにしてもよい。ガイド部材１１４は、上部受皿１１１から落下するコインＣ１を下部受皿１５に導くように配されている。ガイド部材１１４は、上部受皿１１１の下方に収納された格納状態（図２２（ｂ）に示す状態）と、上部受皿１１１の落下口１１２ａに連続して、下部受皿１５に向かって斜め下方に延ばされた使用状態（図２２（ａ）に示す状態）とに移動可能に配されている。
【００９３】
また、上部受皿１１１の下面１１２には案内溝１１３が形成されている。案内溝１１３は水平溝部１１３ａと傾斜溝１１３ｂとを有している。水平溝部１１３ａは、ガイド部材１１４の一対のガイドピン１１５を略水平方向に案内してガイド部材１１４を格納状態にするための溝であり、傾斜溝１１３ｂは、一対のガイドピン１１５の前側のみを斜め下方に案内して、ガイド部材１１４を使用状態にするための溝である。ガイド部材１１４には、ガイド部材１１４を使用状態と格納状態とに移動操作するためのハンドル１１４ａが一体的に形成されている。
【００９４】
ガイド部材１１４を使用状態にすれば、コインＣ１が上部受皿１１１からガイド部材１１４に沿って下部受皿１５に落下するようになるので、コインＣ１を上部受皿１１１側から下部受皿１５側へ確実に移動させることができ、また、コインＣ１が下部受皿１５に落下したときの衝撃を緩和させて、その衝撃音を小さくすることができる。
【００９５】
【発明の効果】
本発明に係る遊技機によれば、コインを上部受皿および下部受皿のいずれの受皿にも貯留可能にし、また、上部受皿内に貯留したコインは、コイン搬送装置によって投入口に揚送され、あるいは、上部受皿から落下して、下部受皿に受け入れられるようにしたので、コインを投入用のものと貯留用のものとに容易に区分けすることができ、使い勝手を良くすることができる。また、上部受皿の一端側にコイン搬送装置が配され、上部受皿の他端側に下部受皿にコインを落下させるための落下口が開設されているので、遊技者は、例えば、上部受皿内のコインの量に応じて、コインを上部受皿の一端側に移動することで投入用のコインとして用いることができ、コインを上部受皿の他端側に移動することで、貯留用のコインとして用いることができ、上部受皿内のコインを適宜振り分けることができる。
【００９６】
さらに、シャッター部材によって上部受皿の落下口を開閉するようにしたので、例えば、遊技機の内部からコインが排出される所に落下口を設け、その落下口をシャッター部材によって開いておけば、遊技機の内部からコインを下部受皿に直接排出することができ、上部受皿がコインで一杯の時に、上部受皿にコインを貯めないで済み、上部受皿からコインが溢れるのを防止することができる。
【００９７】
さらに、ガイド部材によって、上部受皿から落下するコインを下部受皿に導くようにしたので、コインを上部受皿側から下部受皿側へ確実に移動させることができ、また、コインが下部受皿に落下したときの衝撃を緩和させ、その衝撃音を小さくすることができる。
【００９８】
さらに、コイン揚送装置の送出機構の収容部材を上方から天井部で覆うようにし、その天井部を収容部材の内部が視認できるように透光性を有したもので形成したので、遊技者は、透光性のある天井部を通して収容部材内のコインの量を容易に確認することができる。また、収容部材が天井部で塞がれているので、送出機構が、その収容部材内のコインを起立機構に送り出す際に、コインが跳ね上がっても、コインが天井部で遮られ、収容部材外に飛び出すことを防止することができる。さらに、コイン揚送装置が上部受皿側からコインを１枚ずつ分離して揚送し投入口に直接投入するようにしたので、コインが、自動的に投入口に直接投下され、遊技者がコインを上部受皿から投入口に持っていって、投入口に投入する作業をわざわざ行う必要がなく、使い勝手をよくすることができる。
【図面の簡単な説明】
【図１】本発明の一実施の形態に係るコイン搬送装置を遊技機に取り付けた場合の斜視図である。
【図２】図１の部分拡大斜視図である。
【図３】本発明の一実施の形態に係る揚送機構の上部を示す正面図（ａ）および側面図（ｂ）である。
【図４】図３の揚送機構において、投入用ガイド部材を投入口から離間させた状態を示す正面図（ａ）および側面図（ｂ）である。
【図５】本発明の一実施の形態に係るコイン搬送装置の要部を一部破断して示した正面図である。
【図６】同じく、コイン搬送装置の要部を一部破断して示した側面図である。
【図７】本発明の一実施の形態に係る起立機構を中間姿勢保持部で破断して示したコイン搬送装置の要部断面図である。
【図８】揚送機構の上部の正面図である。
【図９】送出機構の送り部材を外して見たときのコイン搬送装置の底面図である。
【図１０】同じく、コイン搬送装置の平面図である。
【図１１】同じく、コイン搬送装置の平面図である。
【図１２】送出機構において、コインの動く様子を示した平面図である。
【図１３】同じく、送出機構の送り部材を下面側から見たときの斜視図である。
【図１４】同じく、送出機構の送り部材の底面図である。
【図１５】カウント部材と近接スイッチとの関係を示す斜視図である。
【図１６】コイン搬送装置の駆動機構を示す底面図である。
【図１７】同じく、コイン搬送装置の駆動機構を示す正面図である。
【図１８】同じく、コイン搬送装置の駆動機構を示す側面図である。
【図１９】収容部材および係止部材を示す斜視図である。
【図２０】係止部材をコインに係止したときの説明図（ａ）および、係止部材でコインを送出用孔に嵌入させたときの説明図（ｂ）である。
【図２１】本発明の一実施の形態に係る遊技機の上部受皿のシャッター部材を示す断面図であって、（ａ）は上部受皿の落下口を閉じた状態を示し、（ｂ）は上部受皿の落下口を開いた状態を示したものである。
【図２２】同じく、上部受皿のガイド部材を示す断面図であって、（ａ）はガイド部材の使用状態を示し、（ｂ）はガイド部材の格納状態を示したものである。
【符号の説明】
Ｃ１…コイン
Ｃ２…コインの側縁
Ｃ３…コインの下縁
Ｃ４…羽先部によって下方から支えるコインの周縁
Ｍ１…モータ
１…遊技機
１ａ…本体
１ｂ…排出口
２…可変表示部
３ａ…スタートレバー
３ｂ…ストップボタン
７…投入口
７ａ…前板部材
７ｂ…後板部材
１０…貯留部
１１…上部受皿
１２…底部
１２ａ…落下口
１３…枢軸
１４…シャッター部材
１４ａ…操作レバー
１５…下部受皿
２１…ベース
２２、２３…凸部
２５…ロックピン
２８…異物排出孔
２９…係止部材
２９ａ…コイル部材
３０…送出機構
３１…収容部材
３１ａ…上部カバー
３１ｂ…天井部
３２…コイン搬入口
３２ａ…下縁
３３…コイン収容部
３３ａ…底部
３３ｂ…円形断面形状の孔
３３ｃ…壁面
３４…嵌合部
３４ａ…下端フランジ
３４ｂ…ロック溝
３４ｃ…アンロック溝
３５…送り部材
３５ａ…送り部材の周縁
３５ｂ…逃げ溝
３６…送出用孔
３７…送出用爪
３７ａ…環状部
３７ｂ…凸部
３８…カウント部材
３８ａ…ばね部材
３８ｂ…ブラケット
３８ｃ…ベアリング
３８ｄ…枢軸
３８ｅ、３８ｆ…近接スイッチ
３８ｇ…被検出用突起
３９…調整部材
４０…起立機構
４２…起立ガイド部材
４４…羽根部材
４５…羽先部
４９…中間姿勢保持部
４９ａ…嵌入溝
４９ｂ…円弧状溝
４９ｃ…逃げ溝
５０…揚送機構
５２…垂直ガイド部材
５２ａ…レール部材
５２ｂ…ガイド溝部材
５２ｃ…垂直ガイド部材の案内部
５２ｄ…垂直ガイド部材の上端口
５２ｅ…垂直ガイド部材の上端部
５４…スクリュー部材
５４ａ…回転軸
５８…投入用ガイド部材
５８ａ、５８ｂ…ガイド部材
６０…駆動機構
６１、６２…ベベルギア
６２ａ…平歯車
６３、６４…平歯車
６５、６６…平歯車
６６ａ…回転軸
６７…アイドルギア
６８…平歯車
６８ａ…回転軸
６９…減速機構
７１…駆動シャフト
１１１…上部受皿
１１２ａ…落下口
１１３…案内溝
１１３ａ…水平溝部
１１３ｂ…傾斜溝
１１４…ガイド部材
１１５…ガイドピン
【図１】
2004243008.tif 000003
【図２】
2004243008.tif 000004
【図３】
2004243008.tif 000005
【図４】
2004243008.tif 000006
【図５】
2004243008.tif 000007
【図６】
2004243008.tif 000008
【図７】
2004243008.tif 000009
【図８】
2004243008.tif 000010
【図９】
2004243008.tif 000011
【図１０】
2004243008.tif 000012
【図１１】
2004243008.tif 000013
【図１２】
2004243008.tif 000014
【図１３】
2004243008.tif 000015
【図１４】
2004243008.tif 000016
【図１５】
2004243008.tif 000017
【図１６】
2004243008.tif 000018
【図１７】
2004243008.tif 000019
【図１８】
2004243008.tif 000020
【図１９】
2004243008.tif 000021
【図２０】
2004243008.tif 000022
【図２１】
2004243008.tif 000023
【図２２】
2004243008.tif 000024